(57)【要約】      （修正有）【課題】前開口部を縦方向に有する一般的な男性用下着の内側を分割する事によって、少量の尿漏れに対応し、尿による不快な蒸れを軽減させる効果が期待できる下着を提供する。【解決手段】下着内に装着される袋（５）の下着側中ほどの上部が二つに分かれ（８）、下着の前開口部打ち合わせの中ほど（９）より下の方向に取り付け、下部Ｖ溝部の外側内面（１１ａ）と内側内面（１１ｂ）のそれぞれを繁げ、袋の下部をカップ状に形成し、底はＵ字状に角をなくし丸みを付けて構成する。【選択図】図５
2010150698.tif 000002
【特許請求の範囲】
【請求項１】
下着の内側を分割し、少量の尿漏れに対応させ、蒸れを防ぐ下着の形。
【請求項２】
下着の内側を分割し、蒸れに対応する下着。
【請求項３】
尿漏れのみに対応する下着。
【発明の詳細な説明】
【技術分野】
【０００１】
本発明は、下着の中を分割することで、蒸れや少量の尿漏れに対応する下着である。          
【背景技術】
【０００２】
従来から、下着の内面に工夫を施された文献は見られる。この例として特許文献１や、特許文献２に開示されているものがある。
【特許文献１】特開平８−１２７９０１号公報
【特許文献２】特開平９−４１２０１号公報
【発明の開示】
【発明が解決しようとする課題】
【０００３】
従来から使用されている下着では、陰茎と陰嚢の間や足の付け根が接しているため、蒸れることがある。
【０００４】
本発明は、これを解決するものである。又、尿漏れにも対応する。
【課題を解決するための手段】
【０００５】
この課題を解決するための請求項１の発明は、陰茎と陰嚢を包み込む布の形を工夫することで、下着の内側を分割させる。
【０００６】
請求項２の発明では、請求項１の前のカップ部分を外し、ゆったりさせる。
【０００７】
請求項３の発明では、請求項１のハンモック状の布を外し、カップ部のみとする。カップ部の素材を尿吸収の良い素材と、液不透過性の素材で作る。
【発明の効果】
【０００８】
本発明は、下着内を分割させることで、それぞれの接触が最小限になり、蒸れを少なくさせる。又、尿漏れにも対応し着用に手間取らない。
【発明を実施するための最良の形態】
【０００９】
（イ）ウエストの２点（図３−１）と、足の付け根の２点(図４−２・３)を支点としてハンモック状の布を付ける。
（ロ）下着の前開口部に合わせてカップ状の袋を作り、（イ）と合わせる。
【００１０】
上記の（ロ）のカップを尿漏れ対応の素材で作る。
【００１１】
上記（イ）のハンモックみで構成する。
【００１２】
上記（ロ）のカップのみで構成する。
【実施例１】
【００１３】
以下、本発明について説明する。
【００１４】
請求項１、請求項３の発明では前方のカップ状の袋に、陰茎を滑り込ませる。
【００１５】
請求項２の発明では前方のＵ字部に、陰茎を滑り込ませる。
【図面の簡単な説明】
【００１６】
【図１】本発明、請求項１の下着内に装着される部位の斜視図である。
【図２】同、内側からの斜視図である。
【図３】下着を内側から見た図である。
【図４】本発明、請求項２の前面の布を外した斜視図である。
【図５】本発明、請求項３の下着を内側から見た図である。
【符号の説明】
【００１７】
１  ウエストに繋がる部位
２  足の付け根前側に繋がる部位
３  足の付け根後ろ側に繋がる部位
４  ハンモック状の布
５  カップ状の袋
【図１】
2010150698.tif 000003
【図２】
2010150698.tif 000004
【図３】
2010150698.tif 000005
【図４】
2010150698.tif 000006
【図５】
2010150698.tif 000007
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
下着の内側前開口部下部に陰茎を収納するための袋が備えられ、前開口部より陰茎の出し入れが行へる下着であり、その袋の上部は二つに分けられて（８）下着の前開口部のそれぞれと繋ぎ合わせ、袋の下部はカップ状に形成され、袋内に陰茎を収めて使用する下着の形。
【請求項２】
請求項１の陰茎と陰嚢の間の仕切り部分に、上部がU字状に二つに分かれウエスト部分に繋がれた陰嚢を包み込むハンモック状の布のU字溝部（７）を、陰茎と陰嚢の間のなだらかなくぼみ部分（６）に繋ぎ合わせた状態で取り付け、その先を足の付け根にある布の縫い合わせ部分に繋げた下着の形。
【請求項３】
請求項1の袋を、液透過性、液の保水性吸水性に優れた素材、液不透過性の素材で作る。
【手続補正２】
【補正対象書類名】明細書
【補正対象項目名】全文
【補正方法】変更
【補正の内容】
【発明の詳細な説明】
【技術分野】
【０００１】
本発明は、下着の内側を袋状の仕切りを用いて分割することで、カップ状の袋内に尿を留め、陰嚢や脚の付け根を濡らすこと無く蒸れや少量の尿漏れに対応する下着である。
【背景技術】
【０００２】
従来から、下着の内面に工夫を施された文献は見られる。この例として特許文献１や、特許文献２に開示されているものがあり又、下着の前開口部が横に開けられポケットが施された特許文献３があります。
【特許文献１】特開平８−１２７９０１号公報
【特許文献２】特開平９−４１２０１号公報
【特許文献３】特開平８−８１８０１号公報
【発明の開示】
【発明が解決しようとする課題】
【０００３】
従来から使用されている尿漏れ対応下着では、陰茎と陰嚢の間や足の付け根が接しているため、失禁などにより蒸れる事がある。
【０００４】
本発明は、少量の尿漏れと尿漏れによる蒸れを軽減し、小用時に手間取る事無く陰茎の出し入れが行へるように、前開口部が縦に設けられた下着の工夫です。
【課題を解決するための手段】
【０００５】
この課題を解決するための請求項１の発明は、陰茎を入れる為の袋を下着の前開口部のそれぞれと一体化させるために、上部を二つに分けて(図５−８参照)繋げ、二つに分かれることにより、小用時に前開口部より自然に陰茎の出し入れが行へるようにし、陰茎と陰嚢の間にはなだらかなカーブのくぼみをもたせ(図５−６参照)、袋の下部は尿を留められるようにカップ状に形成し、下着の内側に取り付け下着内を分割させます。又、この袋は固定式でも取り外しが可能なものでも良い。
【０００６】
請求項２の発明では、陰嚢を包む布を請求項１の袋のなだらかなカーブ部分（６）と、陰茎と陰嚢の間のＵ字溝部（７）を繋ぐ事によって一体化させ、下着本体のウエスト部分と脚の付け根の縫い合わせ部分(図４−２・３参照)に固定し、ウエスト部分には二つに別れたそれぞれ(図３−１参照)を繋げ、下着の内側を分割させる。
【０００７】
請求項1の袋を、液透過性の素材、尿の吸収性保水性に優れた素材と液不透過性で尿漏れ対応の素材で作り、尿をカップ内に留められるようにする。
【発明の効果】
【０００８】
本発明は、下着の前開口部より陰茎の出し入れが行へる構造のため、人目を気にする事も手間取る事も無く小用を足す事が出来、下着内を分割させる事でそれぞれの接触が最小限になり、蒸れを少なくさせる。又、尿漏れにも対応し着用に手間取らない。
【発明を実施するための最良の形態】
【０００９】
（イ）  カップ状の袋を、液透過性で肌触りの良い素材、充分な保水や吸収性に優れた素材、液不透過性の素材などで作り、袋の中ほどから上部は二つに分かれ、下着の前開口部下部のＶ字溝部のそれぞれと繋げる。
（ロ）  陰茎と陰嚢の間部分には、なだらかなくぼみを付ける。
（ハ）  ウエストの2点（図３−１）と、脚の付け根の２点（図４−２・３）を支点としてハンモック状の布を付ける。
（ニ）  上記（イ）と（ハ）を（ロ）の部分を中心に一体化させる。
【実施例】
【００１０】
下着の前開溝部の中ほどより下部分にカップ状の袋が取り付けられるため、小用時には前開口部より陰茎の出し入れを行う。
【図面の簡単な説明】
【００１１】
【図１】請求項２の下着内に装着される部位の斜視図である。
【図２】同、内側からの斜視図である。
【図３】同、下着を内側から見た図である。
【図４】請求項２より前面の布と請求項1を外し繋ぎ目を表した斜視図である。
【図５】請求項１の下着を内側から見た図である。
【符号の説明】
【００１２】
１  ウエストに繋がる部位
２  脚の付け根前側に繋がる部位
３  脚の付け根後ろ側に繋がる部位
４  請求項1に繋げる布
５  カップ状の袋
６  なだらかなカーブのくぼみ
７  U字溝部分  
８  二つに分けられた袋の上部
【手続補正３】
【補正対象書類名】図面
【補正対象項目名】全図
【補正方法】変更
【補正の内容】
【図１】
2010150698.tif 000008
【図２】
2010150698.tif 000009
【図３】
2010150698.tif 000010
【図４】
2010150698.tif 000011
【図５】
2010150698.tif 000012
【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
下着の前開口部に陰茎を包み込む袋が備えられ、その袋の上部は二つに分けられて（８）、下着の前開口部外側内面（11a）と内側内面（11b）に繋ぎ合わせ、その袋の下部はカップ状に形成され、袋内に陰茎を滑り込ませて使用し、少量の尿漏れに対応し蒸れを防ぐ下着の形。
【請求項２】
陰嚢を包み込む布の上部が、Ｕ字状に二つに分けられてウエスト部分（１）に繋がれ、その布は、脚の付け根の前部（２）と後部（３）に繋ぎ、その布のＵ字溝部を、請求項1のなだらかなカーブの窪み部分（６）に繋ぎ合わせた状態で取り付け、下着の内側を分割して蒸れに対応する下着。
【請求項３】
請求項1の袋を、尿の吸収の良い素材と液不透過性の素材で作り、少量の尿漏れに対応する下着。
【手続補正２】
【補正対象書類名】明細書
【補正対象項目名】全文
【補正方法】変更
【補正の内容】
【発明の詳細な説明】
【技術分野】
【０００１】
本発明は、下着の内側を分割することで、蒸れや少量の尿漏れに対応する下着である。
【背景技術】
【０００２】
従来から、下着の内側に工夫を施された文献は見られます。この例として特許文献１や、特許文献２に開示されているものがあります。
【特許文献１】特開平８−１２７９０１号公報
【特許文献２】特開平９−４１２０１号公報
【発明の開示】
【発明が解決しようとする課題】
【０００３】
従来から使用されている尿漏れ対応下着では、陰茎と陰嚢の間や脚の付け根が接しているため、尿漏れなどにより蒸れる事がある。
【０００４】
本発明は、これを解決するものである。又、尿漏れにも対応する。
【課題を解決するための手段】
【０００５】
この課題を解決するための請求項１の発明は、陰茎を入れるための袋を下着の前開口部と合わせるために、袋の上部を二つに分けて（８）繋げ、陰茎と陰嚢の間には、なだらかなカーブのくぼみをもたせ(図5参照)袋の下部はカップ状に形成します。
【０００６】
請求項２の発明では、陰嚢を包み込む布を請求項１のなだらかなカーブの窪み部分（６）と、Ｕ字溝部（７）を繋ぎ、下着本体のウエスト部分と脚の付け根の縫い合わせ部分(図４−２・３参照)に固定し、ウエスト部分には二つに分かれたそれぞれ(図３−１参照)を繋げ、下着の内側を分割させる。
【０００７】
請求項３では、請求項１のカップ状の袋を、尿吸収の良い素材と、液不透過性の素材で作る。
【発明の効果】
【０００８】
本発明は、下着内を分割させる事でそれぞれの接触が最小限になり、蒸れを少なくさせます。又、尿漏れにも対応し着用に手間取らない。
【発明を実施するための最良の形態】
【０００９】
請求項１では、下着内に装着される袋の、下着側中ほどの上部が二つに分かれ（８）、下着の前開口部打ち合わせの中ほど（９）より下の方向に取り付け、下部Ｖ溝部の、外側内面（11a）と内側内面（11b）のそれぞれと繋げる。(図５参照)袋の下部はカップ状に形成し、底はＵ字状に角をなくし丸みを付け、陰茎と陰嚢の間に位置する部分には、なだらかなカーブの窪み（６）を付け(図５参照)陰茎を収納出来るようにします。
【００１０】
請求項２では、船首部分を下に向けたような、ボート型の布(図3参照)の上部をＵ字状に刳り貫き(10)、刳り貫かれた上部の2点（１）をウエスト部分に繋ぎ、その布の細められた先を、脚の付け根後部の縫い合わせ部分（３）まで伸ばして繋ぎます。途中脚の付け根前部の縫い合わせ近くに小さな布（２a）を繋ぎ、脚の付け根前部の縫い合わせ部分（２）に繋ぎ、ボート型の布をＬ字状にします。(図4参照)
【００１１】
Ｕ字状に刳り貫かれたそのＵ字溝部分（７）と、請求項1のなだらかなカーブの窪み部分（６）を合わせて繋ぎます。(図1・図2参照)
【実施例１】
【００１２】
以下、本発明について説明する。
【００１３】
請求項１、請求項２の発明では、カップ状の袋に陰茎を滑り込ませて使用します。
【図面の簡単な説明】
【００１４】
【図１】請求項２の下着内に装着される部位の斜視図である。
【図２】同、陰嚢収納部の斜視図である。
【図３】同、下着を内側から見た図である。
【図４】請求項２より前面の布と請求項１を外し、繋ぎ目を現した斜視図である。
【図５】請求項１の陰嚢を収納する袋を内側から見た図である。
【符号の説明】
【００１５】
１  ウエストに繋がる部位
２  脚の付け根前側
２a 脚の付け根前側に繋げる布
３  脚の付け根後ろ側
３a 脚の付け根後ろ側に繋がる部位
４  請求項１に繋げる船首部分を下に向けたようなボート型の布
５  請求項１の陰茎を収納するカップ状の袋
６  なだらかなカーブ状の窪み
７  Ｕ字溝部
８  二つに分けられた袋の上部
９  下着の前開口部の中ほどの点
10  Ｕ字状に刳り貫かれた部分
11a 下着の前開口部外側内面
11b 下着の前開口部内側内面
【手続補正３】
【補正対象書類名】図面
【補正対象項目名】全図
【補正方法】変更
【補正の内容】
【図１】
2010150698.tif 000013
【図２】
2010150698.tif 000014
【図３】
2010150698.tif 000015
【図４】
2010150698.tif 000016
【図５】
2010150698.tif 000017